(57)【要約】コンパクト構成を備え、標準の３５ｍｍフィルムを使用可能なカード・カメラ（１０）を提供する。カメラ（１０）は、フロント・パネル（２２）と、フロント・パネル（２２）に対して実質的に平行に位置決めされ、それと同一の広がりを持つリヤ・パネル（２０）とを含む。弾性材料のバンド（２４）は、ほぼフロント・パネル（２２）の外部エッジからリヤ・パネル（２０）の外部エッジまで延びている。リヤ・パネル（２０）は、フロント・パネル（２２）に対して可変式に移動可能である。外部ハウジング・シート部材は、そこから延びるいくつかの支柱部材（１６）を含む。外部ハウジング・シート部材は、フロント・パネル（２２）の外側に貼り付けられている。支柱部材（１６）はリヤ・パネル（２０）と係合し、適切な焦点距離を得るためにフロント・パネル（２２）から距離を置いてリヤ・パネル（２０）を固定する。写真フィルム（８０）などの感光媒体は、その中に位置決めされる。シャッタ（３４）は、感光媒体（８０）に伝えられる光を制御する。感光媒体（８０）はレンズ（２８）を通してあるシーンに曝される。感光媒体（８０）は、別々の個別にスタックされた写真フィルムのこま（８２ａ〜８２ｆ）、折りたたみ写真フィルム・ストリップ（１１０）、またはフィルム・キャリア・ウェブ（１１６）上に存在する個別フィルムのこま（１１４）にすることができる。個別のこま（１１４）を使用する場合、これらのこまは、標準的な写真機器を使用して現像するために連続ストリップ構成に組み立てることができる。
2004531748.tif 000002
【特許請求の範囲】
【請求項１】
サイド・エッジと２つの隣接領域とを有するフロント・パネルと、
サイド・エッジを有し、前記フロント・パネルの前記サイド・エッジと前記リヤ・パネルの前記サイド・エッジとの間にほとんど広がる軟質材料のバンドを介して前記フロント・パネルに接続されたリヤ・パネルと、
互いに所定の距離だけ離れ、本質的に互いに平行に前記フロント・パネルと前記リヤ・パネルを維持するための手段と、
前記フロント・パネルを通って光を可変式に導入するための手段と、
光を可変式に導入するための前記手段と通じた状態で配置された感光媒体とを含み、
光を可変式に導入するための前記手段により、前記感光媒体があるシーンに曝される、折りたたみ式カメラ。
【請求項２】
前記フロント・パネルを通って光を可変式に導入するための前記手段が、前記フロント・パネルの前記２つの隣接領域の一方に位置する、請求項１に記載の折りたたみ式カメラ。
【請求項３】
前記フロント・パネルを通って光を可変式に導入するための前記手段が、レンズおよびシャッタ・メカニズムである、請求項１に記載の折りたたみ式カメラ。
【請求項４】
前記感光媒体がディジタル・フィルム・キャプチャ・デバイスである、請求項１に記載の折りたたみ式カメラ。
【請求項５】
前記フロント・パネルと前記リヤ・パネルが、互いに通じて実質的にクレジット・カードに等しい構成を形成するように移動可能である、請求項１に記載の折りたたみ式カメラ。
【請求項６】
互いに所定の距離だけ離してフロント・パネルと前記リヤ・パネルを維持するための前記手段が、少なくとも１本の支柱である、請求項１に記載の折りたたみ式カメラ。
【請求項７】
前記折りたたみ式カメラが、４つの側面を備えた矩形構成のものである、請求項１に記載の折りたたみ式カメラ。
【請求項８】
前記フロント・パネルと前記リヤ・パネルにより位置決めされたファインダをさらに含む、請求項１に記載の写真用カメラ。
【請求項９】
前記感光媒体が写真フィルムである、請求項１に記載の折りたたみ式カメラ。
【請求項１０】
前記写真フィルムが、露光前にわずかに湾曲する、請求項１に記載の折りたたみ式カメラ。
【請求項１１】
前記写真フィルムが３５ｍｍフィルムである、請求項９に記載の折りたたみ式カメラ。
【請求項１２】
前記写真フィルムが個別のフィルムのこまである、請求項９に記載の折りたたみ式カメラ。
【請求項１３】
前記写真フィルムが別々の個別フィルムのこまのスタックであり、前記スタック内の前記別々の個別フィルムのこまの１つの露光によって露光したこまが作成されると、別々の個別フィルムのこまの前記スタック内の後続フィルムのこまへの露光を可能にするために、前記露光したこまが窓に近接した保管位置まで移動可能になる、請求項９に記載の折りたたみ式カメラ。
【請求項１４】
前記個別フィルムのこまのそれぞれの後ろにある遮光材料の層をさらに含む、請求項１３に記載の折りたたみ式カメラ。
【請求項１５】
前記別々の個別フィルムのこまのそれぞれにそれぞれ接続され、あるこまから次のこまへ前記フィルム・スタックを進めるためにユーザによって操作可能であるタブをさらに含む、請求項１３に記載の折りたたみ式カメラ。
【請求項１６】
前記タブが、それぞれ異なる位置で前記フィルム・スタック内のそれぞれの別々の個別フィルムのこまに接続される、請求項１５に記載の折りたたみ式カメラ。
【請求項１７】
露光窓を規定し、前記露光窓の正面にある露光領域と前記露光領域の正面にはない保管領域とを含むカメラ・ハウジングと、
写真撮影すべきシーンと前記露光窓との間に位置決めされたシャッタと、
前記カメラ・ハウジング内に存在し、部分的に前記露光窓の正面にあり、部分的に前記露光窓の正面にはないフィルム・サポート・トラックと、
前記フィルムの露光のために前記露光窓の正面に位置決め可能であり、前記露光領域と前記保管領域との間で移動可能な別々の個別写真フィルムのこまのスタックとを含む、折りたたみ式カメラ。
【請求項１８】
前記別々の個別フィルムのこまのそれぞれにそれぞれ接続され、あるこまから次のこまへ前記フィルム・スタックを進めるためにユーザによって操作可能であるタブをさらに含む、請求項１７に記載の折りたたみ式カメラ。
【請求項１９】
前記タブが、接着剤により前記別々の個別フィルムのこまにそれぞれ接続される、請求項１８に記載の折りたたみ式カメラ。
【請求項２０】
前記タブが、それぞれ異なる位置で前記フィルム・スタック内のそれぞれの別々の個別フィルムのこまに接続され、それぞれ異なる位置で前記カメラ・ハウジングから出ている、請求項１８に記載の折りたたみ式カメラ。
【請求項２１】
前記タブに取り付けられたボタンをさらに含む、請求項１８に記載の折りたたみ式カメラ。
【請求項２２】
前記別々の個別フィルムのこまから一体に形成され、あるこまから次のこまへ前記フィルム・スタックを進めるためにユーザによって操作可能であるタブをさらに含む、請求項１７に記載の折りたたみ式カメラ。
【請求項２３】
前記タブが、それぞれ異なる位置で前記フィルム・スタック内のそれぞれの別々の個別フィルムのこまに接続され、それぞれ異なる位置で前記カメラ・ハウジングから出ている、請求項２２に記載の折りたたみ式カメラ。
【請求項２４】
前記タブに取り付けられたボタンをさらに含む、請求項２２に記載の折りたたみ式カメラ。
【請求項２５】
前記別々の個別フィルムのこまのスタックが前記露光窓の正面に位置決めされ、前記シャッタの作動により、前記スタック内の前記別々の個別フィルムのこまの１つの露光によって露光したこまが作成されると、前記露光したこまが前記フィルム・サポート・トラック上を前記露光窓の正面から前記露光窓の正面にはない前記トラック上の保管位置まで移動可能になる、請求項１７に記載の折りたたみ式カメラ。
【請求項２６】
前記別々の個別フィルムのこまのスタックが前記露光窓の正面にはない前記トラック上の保管位置に位置決めされ、前記シャッタの作動により、露光したこまを作成する前記スタック内の前記別々の個別フィルムのこまの１つの露光のために前記露光窓の正面で個別に移動可能になり、後続のこまがその露光のために前記保管位置から前記露光窓の正面にある位置まで移動可能になる、請求項１７に記載の折りたたみ式カメラ。
【請求項２７】
露光窓と出口ポートを規定し、前記露光窓の正面にある露光領域と前記露光領域の正面にはない保管領域とを含むカメラ・ハウジングと、
写真撮影すべきシーンと前記露光窓との間に位置決めされたシャッタと、
前記カメラ・ハウジング内に存在し、部分的に前記露光窓の正面にあり、部分的に前記露光窓の正面にはないフィルム・サポート・トラックと、
前記フィルムの露光のために前記露光窓の正面に位置決め可能な複数のこまを含み、前記露光領域と前記保管領域との間で移動可能な写真フィルムの折りたたみユニットからなるストリップとを含む、折りたたみ式カメラ。
【請求項２８】
前記フィルム・スタック内の前記別々の個別折りたたみユニットのそれぞれにそれぞれ接続され、あるこまから次のこまへ前記フィルム・スタックを進めるためにユーザによって操作可能であるタブをさらに含む、請求項２７に記載の折りたたみ式カメラ。
【請求項２９】
前記タブが、接着剤により前記フィルム・スタック内の前記別々の個別折りたたみユニットにそれぞれ接続される、請求項２８に記載の折りたたみ式カメラ。
【請求項３０】
前記タブが、それぞれ異なる位置で前記フィルム・スタック内のそれぞれの別々の個別折りたたみユニットに接続され、それぞれ異なる位置で前記カメラ・ハウジングから出ている、請求項２８に記載の折りたたみ式カメラ。
【請求項３１】
前記タブに取り付けられたボタンをさらに含む、請求項２８に記載の折りたたみ式カメラ。
【請求項３２】
前記フィルム・スタック内の前記別々の個別折りたたみユニットから一体に形成され、あるこまから次のこまへ前記フィルム・スタックを進めるためにユーザによって操作可能であるタブをさらに含む、請求項２７に記載の折りたたみ式カメラ。
【請求項３３】
前記タブが、それぞれ異なる位置で前記フィルム・スタック内のそれぞれの別々の個別折りたたみユニットに接続され、それぞれ異なる位置で前記カメラ・ハウジングから出ている、請求項２８に記載の折りたたみ式カメラ。
【請求項３４】
前記タブに取り付けられたボタンをさらに含む、請求項２８に記載の折りたたみ式カメラ。
【請求項３５】
前記別々の個別フィルムのこまのスタックが前記露光窓の正面に位置決めされ、前記シャッタの作動により、前記スタック内の前記別々の個別フィルムのこまの１つの露光によって露光したこまが作成されると、前記露光したこまが前記フィルム・サポート・トラック上を前記露光窓の正面から前記露光窓の正面にはない前記トラック上の保管位置まで移動可能になる、請求項２７に記載の折りたたみ式カメラ。
【請求項３６】
前記別々の個別フィルムのこまのスタックが前記露光窓の正面にはない前記トラック上の保管位置に位置決めされ、前記シャッタの作動により、露光したこまを作成する前記スタック内の前記別々の個別フィルムのこまの１つの露光のために前記露光窓の正面で個別に移動可能になり、後続のこまがその露光のために前記保管位置から前記露光窓の正面にある位置まで移動可能になる、請求項２７に記載の折りたたみ式カメラ。
【請求項３７】
露光窓と出口ポートを規定し、前記露光窓の正面にある露光領域と前記露光領域の正面にはない保管領域とを含むカメラ・ハウジングと、
写真撮影すべきシーンと前記露光窓との間に位置決めされたシャッタと、
前記カメラ・ハウジング内に存在し、部分的に前記露光窓の正面にあり、部分的に前記露光窓の正面にはないフィルム・サポート・トラックと、
その上に複数の写真のこまが位置決めされた軟質キャリア・ウェブを含み、前記複数の写真のこまが前記フィルムの露光のために前記露光窓の正面に位置決め可能であり、前記露光領域と前記保管領域との間で移動可能な写真フィルムの折りたたみユニットからなるストリップとを含む、折りたたみ式カメラ。
【請求項３８】
前記フィルム・スタック内の前記別々の個別折りたたみユニットのそれぞれにそれぞれ接続され、あるこまから次のこまへ前記フィルム・スタックを進めるためにユーザによって操作可能であるタブをさらに含む、請求項３７に記載の折りたたみ式カメラ。
【請求項３９】
前記タブが、接着剤により前記フィルム・スタック内の前記別々の個別折りたたみユニットにそれぞれ接続される、請求項３８に記載の折りたたみ式カメラ。
【請求項４０】
前記タブが、それぞれ異なる位置で前記フィルム・スタック内のそれぞれの別々の個別折りたたみユニットに接続され、それぞれ異なる位置で前記カメラ・ハウジングから出ている、請求項３８に記載の折りたたみ式カメラ。
【請求項４１】
前記タブに取り付けられたボタンをさらに含む、請求項３８に記載の折りたたみ式カメラ。
【請求項４２】
前記フィルム・スタック内の前記別々の個別折りたたみユニットから一体に形成され、あるこまから次のこまへ前記フィルム・スタックを進めるためにユーザによって操作可能であるタブをさらに含む、請求項３７に記載の折りたたみ式カメラ。
【請求項４３】
前記タブが、それぞれ異なる位置で前記フィルム・スタック内のそれぞれの別々の個別折りたたみユニットに接続され、それぞれ異なる位置で前記カメラ・ハウジングから出ている、請求項３８に記載の折りたたみ式カメラ。
【請求項４４】
前記キャリア・ウェブが前記複数の写真のこまにそれぞれ対応し、それに位置合せされた複数の貫通アパーチャをさらに規定し、前記複数の貫通アパーチャによりその現像中に前記複数の写真のこまの露光が可能になる、請求項３７に記載の折りたたみ式カメラ。
【請求項４５】
前記キャリア・ウェブ材料が透明であり、前記透明な材料によりその現像中に前記複数の写真のこまの露光が可能になる、請求項３７に記載の折りたたみ式カメラ。
【請求項４６】
前記タブに取り付けられたボタンをさらに含む、請求項３８に記載の折りたたみ式カメラ。
【請求項４７】
前記別々の個別フィルムのこまのスタックが前記露光窓の正面に位置決めされ、前記シャッタの作動により、前記スタック内の前記別々の個別フィルムのこまの１つの露光によって露光したこまが作成されると、前記露光したこまが前記フィルム・サポート・トラック上を前記露光窓の正面から前記露光窓の正面にはない前記トラック上の保管位置まで移動可能になる、請求項３７に記載の折りたたみ式カメラ。
【請求項４８】
前記別々の個別フィルムのこまのスタックが前記露光窓の正面にはない前記トラック上の保管位置に位置決めされ、前記シャッタの作動により、露光したこまを作成する前記スタック内の前記別々の個別フィルムのこまの１つの露光のために前記露光窓の正面で個別に移動可能になり、後続のこまがその露光のために前記保管位置から前記露光窓の正面にある位置まで移動可能になる、請求項３７に記載の折りたたみ式カメラ。
【請求項４９】
複数の別々の個別写真感光フィルムのこまと、
前記複数の感光フィルムのこまを相互接続し、接着剤により前記複数の感光フィルムのこまに相互接続される複数のコネクタ部材とを含み、
それにより、前記別々の個別写真感光フィルムのこまがまとめて相互接続され、標準的な写真現像機器を使用して現像するのに適したフィルムのこまの連続ウェブを形成する、折りたたみ式フィルム・ウェブ。
【請求項５０】
前記別々の個別写真感光フィルムのこまが３５ｍｍフィルムのこまである、請求項４９に記載の写真フィルム・ウェブ。
【請求項５１】
それぞれがリーディング・エッジ部分とトレーリング・エッジ部分とを有し、それぞれのリーディング・エッジ部分とトレーリング・エッジ部分で互いに接続され、標準的な写真現像機器を使用して現像するのに適したフィルムのこまの連続ウェブを形成する複数の別々の個別写真感光フィルムのこまを含む、写真フィルム・ウェブ。
【請求項５２】
前記別々の個別写真感光フィルムのこまが３５ｍｍフィルムのこまである、請求項５１に記載の写真フィルム・ウェブ。
【請求項５３】
複数のポケットがその中に形成され、前記ポケットが線形配置で端と端を接して位置決めされたキャリア部材と、
それぞれが前記ポケット内にそれぞれ位置決めされた複数の別々の個別写真感光フィルムのこまとを含み、
それにより、前記別々の個別写真感光フィルムのこまが互いに関して位置決めされ、標準的な写真現像機器を使用して現像するのに適したフィルムのこまの連続ウェブを形成する、写真フィルム・ウェブ。
【請求項５４】
前記別々の個別写真感光フィルムのこまが３５ｍｍフィルムのこまである、請求項５３に記載の写真フィルム・ウェブ。
【請求項５５】
それぞれがリーディング・エッジとトレーリング・エッジを有し、前記リーディング・エッジのそれぞれにファスナ部材が一体化され、前記トレーリング・エッジのそれぞれにアパーチャが形成された複数の別々の個別写真感光フィルムのこまと、
前記複数の感光フィルムのこまを相互接続し、隣接するフィルムのこまに形成されたそれぞれの対応アパーチャと係合した前記ファスナ部材により前記複数の感光フィルムのこまに相互接続される複数のコネクタ部材とを含み、
それにより、前記別々の個別写真感光フィルムのこまがまとめて相互接続され、標準的な写真現像機器を使用して現像するのに適したフィルムのこまの連続ウェブを形成する、写真フィルム・ウェブ。
【請求項５６】
それぞれがリーディング・エッジとトレーリング・エッジを有し、前記リーディング・エッジとトレーリング・エッジのそれぞれにアパーチャが形成された複数の別々の個別写真感光フィルムのこまと、
前記複数の感光フィルムのこまを相互接続し、前記感光フィルムのこまの隣接するリーディング・エッジとトレーリング・エッジに形成されたそれぞれの対応アパーチャと係合する前記ファスナ部材により前記複数の感光フィルムのこまを相互接続する複数のファスナ部材とを含み、
それにより、前記別々の個別写真感光フィルムのこまがまとめて相互接続され、標準的な写真現像機器を使用して現像するのに適したフィルムのこまの連続ウェブを形成する、写真フィルム・ウェブ。
【請求項５７】
前記別々の個別写真感光フィルムのこまが３５ｍｍフィルムのこまである、請求項５５に記載の写真フィルム・ウェブ。
【請求項５８】
それぞれが少なくとも一方の側にスプロケット・ホールを備えた複数の別々の個別写真感光フィルムのこまと、
前記複数の感光フィルムのこまをまとめて相互接続するための手段とを含み、
それにより、前記別々の個別写真感光フィルムのこまがまとめて相互接続され、標準的な写真現像機器を使用して現像するのに適したフィルムのこまの連続ウェブを形成する、写真フィルム・ウェブ。
【請求項５９】
前記別々の個別写真感光フィルムのこまが３５ｍｍフィルムのこまである、請求項５８に記載の写真フィルム・ウェブ。
【請求項６０】
キャリア・ウェブと、
互いに間隔を開けた関係で前記キャリア・ウェブに取り付けられた非自己現像タイプの複数の別々の個別写真感光フィルムのこまとを含み、
それにより、前記別々の個別写真感光フィルムのこまが互いに関して位置決めされ、標準的な写真現像機器を使用して露光後に現像するのに適したフィルムのこまの連続ウェブを形成する、写真フィルム・ウェブ。
【請求項６１】
前記別々の個別写真感光フィルムのこまが３５ｍｍフィルムのこまである、請求項６０に記載の写真フィルム・ウェブ。
【請求項６２】
前記キャリア・ウェブが軟質材料ストリップである、請求項６０に記載の写真フィルム・ウェブ。
【請求項６３】
前記キャリア・ウェブが前記複数の別々の個別写真感光フィルムのこまにそれぞれ対応し、それに位置合せされた複数の貫通アパーチャをさらに規定し、前記複数の貫通アパーチャによりその現像中に前記複数の別々の個別写真感光フィルムのこまの露光が可能になる、請求項６０に記載の写真フィルム・ウェブ。
【請求項６４】
前記キャリア・ウェブ材料が透明であり、前記透明な材料によりその現像中に前記複数の写真のこまの露光が可能になる、請求項６０に記載の写真フィルム・ウェブ。
【請求項６５】
露光窓を規定し、前記露光窓の正面にある露光領域と前記露光領域の正面にはない保管領域とを含むハウジングと、
閉位置にあるときに前記露光窓を通る光の通過をブロックし、開位置にあるときに前記露光窓を通る光の通過を可能にし、前記開位置と前記閉位置との間を移動可能な不透明な材料と、
前記ハウジング内に存在し、部分的に前記露光窓の正面にあり、部分的に前記露光窓の正面にはないフィルム・サポート・トラックと、
前記フィルムの露光のために前記露光窓の正面に位置決め可能であり、前記露光領域と前記保管領域との間で移動可能な写真フィルムのスタックとを含む、写真フィルム・カートリッジ。
【請求項６６】
ハウジングを有し、前記ハウジングが露光窓を規定し、不透明な材料が閉位置にあるときに前記露光窓を通る光の通過をブロックし、開位置にあるときに前記露光窓を通る光の通過を可能にし、前記不透明な材料が前記開位置と前記閉位置との間を移動可能であり、前記ハウジングが前記露光窓の正面にある露光領域と前記露光領域の正面にはない保管領域とを含み、フィルム・サポート・トラックが前記ハウジング内に存在し、部分的に前記露光窓の正面にあり、部分的に前記露光窓の正面にはなく、写真フィルムのスタックが前記フィルムの露光のために前記露光窓の正面に位置決め可能であり、前記写真フィルムのスタックが前記露光領域と前記保管領域との間で移動可能であるフィルム・カートリッジと、
外部ハウジングを有し、前記外部ハウジングがレンズを介して光で通じている光の通路を含むカメラ本体とを含み、
前記フィルム・カートリッジの前記露光窓が前記カメラ本体の前記光の通路に位置合せされ、それと通じている状態で、前記フィルム・カートリッジが前記カメラ本体に取外し式に取り付けられる、写真用カメラ。
【請求項６７】
前記フィルム・カートリッジが、ポップオン・ファスナにより前記カメラ本体に取外し式に取り付けられる、請求項６６に記載の写真用カメラ。
【請求項６８】
前記カメラ本体内のサイド・アクセス・スロットをさらに含む、請求項６６に記載の写真用カメラ。
【請求項６９】
前記フィルム・カートリッジが前記サイド・アクセス・スロットに受入れ可能である、請求項６８に記載の写真用カメラ。
【発明の詳細な説明】
【技術分野】
【０００１】
本発明は一般に、写真用カメラに関する。より具体的には、本発明は、標準の３５ｍｍ写真フィルムを使用可能な折りたたみ式カード・カメラに関する。
【０００２】
写真フィルムと使い捨てのフィルム装填済みカメラをアマチュア写真家に販売することは、世界的に主要産業になっている。消費者は、誕生日のパーティ、結婚式など、事前に計画した事象の際に写真を撮るつもりでフィルムまたは使い捨てカメラを購入するので、このような製品の市場はほぼ完全に「事象主導型」である。その「常時携帯」を妨げている現行設計のカメラおよびフィルムの大きさと重さのために、人々は通常、計画外の事象の「衝撃」写真をとらえるために、いつもカメラを携えているわけではない。その結果、販売され現像されるフィルムの量はその潜在的総使用量の何分の一程度になっている。これまでにミノックスタイプ・カメラなど、極端なコンパクト・カメラが開発され市場に出されたが、このようなカメラの目標は隠すことであり、依然として連続携帯に不適当なものになるのに十分なボリュームと重さを示しており、高価な設計であり、重要なことに、標準の３５ｍｍフィルムを処理するために適合させた「高速転回」１時間フィルム現像施設との互換性のない専用フィルムを使用していた。
【０００３】
したがって、前述の懸念を考慮すると、いつでも容易に運搬するためにクレジット・カードの構成にするなど、カメラが可能な限りコンパクトであることが望ましいだろう。また、消費者に対するコスト全体を削減するために、クレジット・カード・カメラが非常に安価に製造できることも望ましい。さらに、クレジット・カード・カメラが操作しやすいことも望ましい。さらに、クレジット・カード・カメラ内のフィルムが、高画質を達成しながら、容易かつ安価に現像できることが望ましい。
【発明の開示】
【課題を解決するための手段】
【０００４】
本発明は、従来技術のカメラの利点を保持している。そのうえ、このカメラは、従来技術のカメラには見られない新たな利点を提供し、このようなカメラの欠点の多くを克服するものである。
【０００５】
本発明は一般に、標準の３５ｍｍフィルムを使用して高品質写真を撮る際に特に応用可能な新規かつ固有のコンパクト・クレジット・カード・カメラを対象とする。本発明のクレジット・カード・カメラは、緊急使用などに適したカメラのコンパクト運搬を可能にする。本発明のクレジット・カード・カメラは、カメラの迅速組立および操作準備を可能にする。
【０００６】
本発明のクレジット・カード・カメラの好ましい実施形態は、フロント・パネルを含む。リヤ・パネルは、フロント・パネルに対して実質的に平行に位置決めされ、それと同一の広がりを持つ。弾性材料のバンドは、ほぼフロント・パネルの外部エッジ付近からほぼリヤ・パネルの外部エッジ付近まで延びている。リヤ・パネルは、フロント・パネルに対して可変式に移動可能である。外部ハウジング・シート部材は、そこから延びるいくつかの支柱部材を含む。外部ハウジング・シート部材は、フロント・パネルの外側に貼り付けられている。支柱部材はリヤ・パネルと係合し、適切な焦点距離を得るためにフロント・パネルから距離を置いてリヤ・パネルを固定する。支柱部材が所定の位置にある場合、フロント・パネルとリヤ・パネルはどちらも本質的に平面状態を保持し、標準的なカメラの矩形外形を提供することができる。バック・カバーは、リヤ・パネルの外側に貼り付けられている。写真フィルムなどの感光媒体は、リヤ・パネルとフロント・パネルの間に位置決めされる。シャッタは、感光媒体に伝えられる光を制御する。感光媒体はレンズを通してあるシーンに曝される。感光媒体は、別々の個別にスタックされた写真フィルムのこま、折りたたみ写真フィルム・ストリップ、またはフィルム・キャリア・ウェブ上に存在する個別フィルムのこまにすることができる。個別のこまを使用する場合、これらのこまは、標準的な写真機器を使用して現像するために連続ストリップ構成に組み立てることができる。
【０００７】
クレジット・カード・カメラは、本来、たとえば、標準的なクレジット・カードのサイズおよび構成と実質的に等しいコンパクト構成として購入時点でパッケージ化される。カメラを閉位置に保持するラベルを取り除き、次に適切な焦点距離を得るためにカメラを完全に開く。カメラの周縁部付近の一連の支柱によってカメラをこの動作状態に保持する。写真を撮るためには、カメラを対象シーンに向け、カメラの上部のボタンを押し下げることによりシャッタを作動させる。次に、使用する特定のフィルム送り装置により、フィルムを進める。このようなフィルム移転については以下に詳述する。フィルムのすべてを露光した後、カメラまたは取外し可能フィルム・カートリッジを現像のために標準的な写真フィルム・サービスに送ることができる。このために、カメラを折りたたんだ状態に戻す場合もある。使用するフィルム送り装置に応じて、標準的なフィルム現像サービスによって対処できるように、フィルムを準備することになる。フィルム現像のためのこのような準備については以下に詳述する。
【０００８】
本発明の意図は、衝撃写真ならびに事前に計画した写真をとらえるために写真家が常時都合良く携帯するのを奨励するような形状、サイズ、重量、および設計のカメラを提供することにある。さらに、その意図は、普通の財布に入れて、またはキーホルダに付けて長期間の間、常時携帯可能なクレジット・カードの形をした「カード・カメラ」を生産することにある。したがって、本発明により、このコンパクト・カメラは、「高速転回」１時間フィルム現像施設での現像との互換性のある一般的な３５ｍｍフィルムを使用することができる。さらに、本発明の意図は、打抜きカメラ・コンポーネントの使用および「組立」積層板構築技法によりカメラの極度に低コストの製造を可能にし、より低価格のカメラでより多くの販売量を達成できるようにすることにある。このような平坦で軽量のカメラ設計により、使い捨てバージョンを現像施設に郵送することがより容易かつ安価になるとともに、販売促進商品として他の消費財とともにカメラをパッケージ化することも容易になる。
【０００９】
したがって、本発明の一目的は、軽量かつコンパクトであり、標準的なクレジット・カードと同様の構成であるクレジット・カード・カメラを提供することにある。
本発明の追加目的は、安価に製造できるカメラを提供することにある。
【００１０】
本発明の他の目的は、標準の３５ｍｍフィルムを使用するクレジット・カード・カメラを提供することにある。
本発明のさらに他の目的は、単一カメラ内に複数の写真用の複数のフィルムのこまを含む、クレジット・カード・カメラまたは同様のフィルム送りメカニズムを使用するコンパクト・フィルム・カートリッジを提供することにある。
【００１１】
本発明のさらに他の目的は、緊急および衝撃写真撮影のために常時携帯を容易にするように軽量かつコンパクトであるクレジット・カード・カメラを提供することにある。
本発明のさらに他の目的は、財布に入れて携帯するのに適したクレジット・カード・カメラを提供することにある。
【００１２】
本発明のさらに他の目的は、使いやすいクレジット・カード・カメラを提供することにある。
本発明のさらに他の目的は、一般的でよく知られている「押すだけの」カメラと同様に機能するクレジット・カード・カメラを提供することにある。
【００１３】
本発明に特有の新規の特徴は特許請求の範囲に示されている。しかし、他の目的および付随する利点とともに本発明の好ましい実施形態については、添付図面に関連して示す詳細な説明を参照することにより、最も良く理解できるだろう。
【発明を実施するための最良の形態】
【００１４】
まず、図１を参照すると、本発明のクレジット・カード・カメラ１０の使用前の一般的な構成が示されている。クレジット・カード・カメラ１０は好ましくは、図１に示すようにパッケージ化されるが、一般に、標準的なクレジット・カードのサイズおよび構成になっている。この構成は、幅が約２．１２５インチ、長さが約３．３７５インチ、厚さが約０．１３５インチである。ラベル１２は好ましくはカメラ１０の上面１４上に位置決めされ、カメラ１０の操作に関する指示を示す。これは好ましい構成であるが、他の構成も使用可能であり、それも依然として本発明の範囲内である可能性がある。このパッケージ化構成は、カメラ１０の出荷、保管、輸送のためのものである。たとえば、カメラ１０のコンパクト構成により、カメラはユーザの財布（図示せず）内に保管するのに適切なものになる。このサイズおよび構成の結果として、カメラ１０は、緊急事態、計画外の事象などのためにいつでも使用可能になるように「常時携帯」品になる可能性がある。図１のパッケージ化形態のクレジット・カード・カメラ１０は、たとえば、スタンドアロン・ユニットとして販売される場合もあれば、店頭販売を容易にするためにブリスタ・カードにして容易に販売することもできる。
【００１５】
次に、図２〜５に移行すると、使用するためのクレジット・カード・カメラ１０の組立が示されている。図２に示すように、カメラ１０の上部に貼り付けられたラベル１２が取り除かれ、好ましくは４本の支柱１６からなるセットと、全体的に１８として参照される折りたたんだカメラ本体が明らかになる。図３では、支柱１６が旋回して開かれ、カメラ１０のリヤ・パネル２０を矢印が示すように上方向に引き上げられるようにする。プロント・パネル２２とリヤ・パネル２０は、好ましくはタイベック、ビニル、プラスチック、紙などの遮光材料のバンド２４によって互いに接続される。このバンド材料２４は、単一の切れ目のないバンド材料である場合もあれば、複数のストリップ材料からなる集合体で構成された切れ目のあるバンドで構成される場合もある。このような材料により、フロント・パネル２２は、好ましくはカメラ１０の本体に光が入るのを防止しながら、リヤ・パネル２０に関して移動することができ、どちらも本質的に平面状態を保持することができる。カメラ１０の操作の詳細については以下に詳述する。図５に示すように、リヤ・パネル２０の下側は、図３に示すように支柱１６の自由端にある突起２６を受け入れるためのいくつかのスロット２４を含む。図４では、その自由端にある突起２６がリヤ・パネル２０の下側にあるスロット２４と係合してその中にぴったりはまるように、支柱１６がリヤ・パネル２０の下に持ってこられている。その結果、支柱１６は、フロント・パネル２２から所定の距離にリヤ・パネル２０をロックし、両方のパネルを厳密に位置合せして保持する。リヤ・パネル２０は、フロント・パネル２２とリヤ・パネル２０との間のバンド材料２４によって提供される小さいスプリング偏向力によるかまたは支柱１６をリヤ・パネル２０の下側にあるスロット２４と係合してその中にぴったりはまった状態に保持するようにほぼ正確な長さになっているバンド材料２４により、支柱１６上に保持される。また、突起２６は、構造の剛性を追加するためにそれらをスロット２４内にロックできるように、いずれか一方の側面上にアバットメント部材を有することもできる。支柱１６が所定の位置になると、カメラ１０は組み立てられ、使用できる状態になる。支柱１６の長さと、フロント・パネル２２とリヤ・パネル２０との間のバンド材料２４の幅により、図６に示すように、撮影すべきシーンを伝えるためにカメラ１０で使用するレンズ２８の適切な焦点距離が得られる。
【００１６】
クレジット・カード・カメラ１０は矩形構成になっているので、カメラ１０の本体の４つの側面それぞれについて支柱１６を１本ずつ使用する４本の支柱１６が好ましいことにも留意されたい。矩形の代わりに他の本体構成を使用する場合、それに応じて支柱１６を変更することができる。同様に、本発明の好ましい実施形態では、支柱１６を手で組み立てて、フロント・パネル２２をリヤ・パネル２０に接続するバンド材料２４の外側に位置する支柱１６を示しているが、支柱１６は記載のカメラ１０の内側に位置し、別個に引き出されるパネル２０および２２の作用によるかまたはゴムバンド、スプリングなどによって提供される力により、所定の位置に引き入れてもよいことに留意されたい。本発明のカメラ１０の構成は、ＣＣＤおよびＣＭＯＳカメラなどの固体撮像コンポーネントの使用によるディジタル・カメラ実施形態で使用するために適合させることもできる。
【００１７】
本発明のクレジット・カード・カメラ１０の構造は図６および図７に示されている。図６は、フロント・パネル２２と、リヤ・パネル２０と、それらの間の接続軟質材料２４とを含む、カメラ１０の本体１８への外部カメラ・ケーシング３０の貼付けを示す正面分解斜視図を示している。前述の通り、フロント・パネル２２は、軟質バンド材料２４によってリヤ・パネル２０に柔軟に接続されている。フロント・パネル２２は、カメラ１０の操作に関連するいくつかのコンポーネントを受け入れるためにいくつかのクリアランス・カット３２を含む。シャッタ・メカニズム３４には、シャッタ・プレート３８を常時閉位置にスプリング偏向するためのシャッタ・スプリング３６が設けられている。シャッタ・プレート３８は、シート４０とストップ４２によって制御される閉位置と開位置との間で移動可能である。シャッタ・プレート３８の上部自由端は、ストライカ４６上の第１の突起４４と係合する。ストライカ・スプリング４８は、第２の突起６０を圧迫することにより、ストライカ４６を右に向かってスプリング偏向し、ストライカの第１の突起４４をシャッタ・プレート３８の上部エッジ５０と係合させる。トリガ・ボタン５２は、ユーザが押すために露出された部分を含み、ボタン・スプリング５４によって上方向にスプリング偏向される。ボタン５２の自由端は、ストライカ４６の左自由端にある対応シート５８と係合するためのシート５６を含む。
【００１８】
操作時に、ボタン５２は押し下げられ、それによりボタン５２の自由端はストライカ４６の左自由端との係合が解除される。ストライカ４６はストライカ・スプリング４８によって右に押しやられ、それによりストライカ４６の第１の突起４４は１秒未満の間、シャッタ・プレート３８の上を通過し、その結果、シャッタ３４が一時的に開き、その中のフィルムを露光するために光がレンズ２８およびシャッタ・アパーチャ７８を通ってカメラ１０内に入れるようにする。
【００１９】
ストライカ４６上の第１の突起４４の後ろにあるギャップ６２により、シャッタ・プレート３８はその閉位置に戻ることができる。写真を撮った後、ストライカ４６は、他の写真を撮るためにリセットしなければならない。ストライカ４６の角度のある左エッジ６８がボタン５２の角度のある右エッジ７０の上に乗ってボタン５２上のストライカ４６を元の位置に戻すように、ストライカ４６から出ているストライカ・ポスト６６に接続されたコッキング・ボタン６４が左に向かって引かれる。カメラ１０のコッキング中に、ストライカ４６がボタン５２の自由端の上でカムになると、ボタン５２は一時的に上下に移動することになる。また、撮影すべきシーンのフレーミングを支援するためにファインダ７２も設けられている。その中のカメラ・コンポーネントを固定するために外部ケーシング３０は図６に示すようにフロント・パネル２２の外部表面に直接貼り付けられているので、ファインダ・アパーチャ７４は外部ケーシング３０内の通路として設けられている。また、必要なときにフィルムの露光を支援するためにフラッシュ・メカニズム（図示せず）を使用することもできる。外部ケーシング３０は好ましくは、接着剤により永久的または半永久的にフロント・パネル２２に貼り付けられ、熱溶接、ポップスルー・ファスナ、または使用可能なその他の方法によりまとめて取り付けられている。外部ケーシング３０が所定の位置に貼り付けられた状態で、支柱１６はリヤ・パネル２０の下にぴったりはまるように位置決めされ、使用に備えて折りたたみ不能な状態にカメラ１０を維持する。
【００２０】
使用中は、レンズ２８の焦点距離を変更し、その結果、フィルムの焦点を損なうのを回避するために、フロント・パネル２２とリヤ・パネル２０の両方をまとめて握るのとは対照的に、カードを保持する場合と同様にユーザがフロント・パネル２２によりカメラ１０を保持することが好ましい。
【００２１】
上記のカメラ１０用のシャッタおよびレンズ・メカニズムは例証として示されていることを理解されたい。他の様々な周知かつ市販のカメラ・メカニズムを使用して、本発明のカメラ１０に効果的に光を導入することもできる。同様に、開示した実施形態は、レンズ２８とアパーチャ２９が外部ケーシング３０上に直接取り付けられたカメラ１０を示しているが、フロント・パネル２２自体の上のシャッタ・メカニズム３４の上にあるアセンブリ内にレンズ２８とアパーチャ２９を取り付け、外部ケーシング３０の開口部によってそれが依然としてフロント・パネル２２に取り付けられるようにすることもできる。以下で明らかになるように、レンズ２８とシャッタ・メカニズム３４は、本発明の好ましい実施形態ではカメラ１０の右半分または右領域にオフセットされている。以下に詳述するように、好ましくは未露光フィルム・スタックがカメラ１０の片側半分に存在し、後でカメラ１０の反対側半分に移動してそこでスタックされ、折りたたんだ状態のときにクレジット・カード程度の大きさのカメラで複数の写真を撮れるようになるので、レンズ２８とシャッタ・メカニズム３４はオフセットされている。
【００２２】
別法として、レンズ２８は、延ばすためにスプリング、軟質ゴム、またはツイスト・メカニズム上に取り付けることにより、よりコンパクトにすることができる。カメラ１０を組み立てると、この代替実施形態（図示せず）のレンズは使用に適した長さまで延びる。
【００２３】
次に図７を参照すると、本発明のカメラ１０の背面分解斜視図が示されている。リヤ・パネル２０は、伸縮ベローズ７６と、図６に示すファインダ７２とを含む。伸縮ベローズ７６は、プラスチック、タイベック、ビニル、紙などの軟質遮光材料で裏打ちされた光の通路と通じている。光の通路は、光の透過のためにフロント・パネル２２上のシャッタ・アパーチャ７８で終わっている。本発明の好ましい実施形態では、別々の個別フィルムのこま８２のスタック８０が設けられ、それぞれには、そのフィルムのこまの上面で接続されたテープなどの対応タブ８４が付いている。フィルムのこま８２は好ましくは、３５ｍｍサイズのものであり、普通のフィルム現像施設でのその現像を容易にするような構成になっているが、フィルム８２は他のサイズにすることもできる。スタックしたフィルムのこま８２は、カメラ１０のリヤ・パネル２２内に形成されたトラック８６内にスライド式に存在する。バック・カバー８８は、リヤ・パネル２０の上に位置決めされ、その中にフィルムのこま８２のスタック８０を封止している。図８は本発明のカメラ１０の背面図をさらに示しており、バック・カバー８８は例証のために部分的に剥離されている。いくつかのボタン９０は、バック・カバー８８の長さに沿って設けられたスロット９２内にスライド式に受け入れられる。光がフィルム８２を露光するのを防止するために、フェルトなどの遮光材料のストリップ（図示せず）をスロット９２の上に位置決めしてもよい。ボタン９０は、個別フィルムのこま８２のそれぞれに接続された対応タブ８４に貼り付けられている。タブ８４は、フィルムのこま８２のそれぞれ異なる部分に位置決めされるかまたは互いに重ならないように互いにオフセットされている。また、バック・カバー８８は貫通ファインダ・アパーチャ９４も含む。バック・カバー８８は好ましくはリヤ・パネル２０にヒートシールされるが、接着剤などにより貼り付けることもできる。ただし、フィルムのこま８２をボタン９０に接続するためにテープで製造されたタブ８４の代わりに、各タブ８４をフィルムのこまからのフィルムの突起とするかまたはボタン９０を接着剤、ポップスルー・コネクタなどにより貼り付けてもよいことに留意されたい。
【００２４】
本発明の好ましいフィルム送り装置は図９〜１４に詳細に示されている。図８では、すべてのタブ８４と対応ボタン９０はカメラ１０の左側に位置決めされ、それを通して光を受け入れるために伸縮ベローズ７６に合わせて並んでいる。伸縮ベローズ７６に最も近いフィルムのこま８２ａは、写真のシーンに最初に曝されるものである。露光中に光がこま８２を直接通過して、その下に位置するフィルムのこま８２を部分的に露光して損なう可能性を排除するために、スタック内の個別フィルムのこま８２は濃い着色プラスチックなどでできた遮光裏当て材料（図示せず）を備えていてもよい。この第１のこま８２ａは、バック・カバー８８上の１列のボタン９０内の最も右側のボタンに対応する第１のタブ８４に接続されている。図９に示すように、第１のこま８２ａは、露光した後、伸縮ベローズ７６のほぼ右側に位置決めされたカメラ１０内の保管位置９６までリヤ・パネル２０のトラック８６内を右にスライドする。保管位置９６にある露光フィルムのこまと伸縮ベローズ７６の後ろにある未露光フィルムのこまとの間にはわずかな重なりができ、フィルムのこまの移動が妨げられないようになっている。何枚の写真を撮ったかをユーザに対して可視指示するために、バック・カバー８８上にインデックス９８が設けられている。例証のためにバック・カバー８８を取り外した状態で、図１０は、その露光位置からその保管位置９６までの第１のフィルムのこま８２ａのスライド操作を示している。図９および図１０のカメラ１０の露光準備完了位置では、第２のフィルムのこま８２ｂが伸縮ベローズ７６の正面にあり、露光準備が整っている。第２のこま８２ｂは、露光した後、図１１および図１２に示すように右にスライドし、そこですでに露光された第１のこま８２ａの上に乗る。第３のこま８２ｃ、第４のこま８２ｄ、第５のこま８２ｅ、第６のこま８２ｆは、カメラ１０の光保護本体内の伸縮ベローズ７６の右側にある保管領域９６にきちんと収まるように、同様に露光され、右にスライドする。例証として６つのこま８２のスタック８０が示されているが、５つ以下または７つ以上のこま８２のスタック８０も使用可能であり、それも依然として本発明の範囲内である可能性がある。図１３および図１４は、現像に備えて露光したフィルムのこま８２のスタックおよび保管を示している。
【００２５】
そのうえ、フィルム８０は、操作中に右から左へまたは左から右へ移動することができる。上記の通り、フィルム８０は、露光後にスタック保管するために右に移動する。別法として、フィルム８０は、初めにカメラ１０の右側にスタックしておき、露光のために左に移動することもできる。フィルムのこま８２のすべてを露光すると、フィルムのこま８２のスタック８０はカメラ１０の左側領域に入ることになる。さらに、それぞれのフィルムのこま８２は、レンズ２８の視野の凹面に近づくようにリヤ・パネル２０のほぼ半分を湾曲構成に形成することにより、浅い湾曲位置に保持することができる。
【００２６】
本発明の好ましい実施形態の別々の個別フィルムのこま８２ａ〜８２ｆに代わるものとして、折りたたみフィルム・ストリップ１００のフィルム送り構成を使用することができる。図１５〜１８には、露光すべきいくつかのフィルムのこま１０２ａ〜１０２ｃと、それぞれがそれぞれのプルタブ１０６ａ〜１０６ｃに接続されたいくつかのキャリア・フレーム１０４ａ〜１０４ｃとを含むものとして、折りたたみフィルム・ストリップ構成１００が示されている。それぞれのプルタブ１０６ａ〜１０６ｃは、（図示しない）カメラの本体内の出口スロットを通って経路が定められるが、図１５〜１８では１０８として代表して示されており、移動中のこま１０２ａ〜１０２ｃを識別するために数字などのインデックスを含む。プルタブ１０６ａ〜１０６ｃはそれぞれ、キャリア・フレーム１０４ａ〜１０４ｃに取り付けるか、またはフィルム自体に直接取り付けることができる。図１５〜１８は、カメラ本体内のフィルムのこま１０２ａ〜１０２ｃの動きを描写により示している。この代替実施形態のフィルム送り構成を明確に示すために、カメラ本体は図示されていない。こま１０２ａ〜１０２ｃは上から露光される。
【００２７】
図１５では、感光側が上方向を向いた状態で第１のフィルムのこま１０２ａが位置決めされた折りたたみフィルム・スタック１００が示されている。第１のタブ１０６ａは、第１のフィルムのこま１０２ａに接続されたキャリア・フレーム１０４ａに取り付けられている。第１のフィルムのこま１０２ａを露光した後、図１６では、露光したばかりの第１のフィルムのこま１０２ａが、全体的に１１２として参照される露光領域から、全体的に１１０として参照される保管領域まで、こまの全長分だけ右に移動するように、第１のタブ１０６ａが右に引かれることを示している。第１のタブ１０６ａを完全に引くと、第１のタブ１０６ａは第１のキャリア・フレーム１０４ａから離れるかまたはそれを第１のキャリア・フレーム１０４ａから引きはがすことができるようになる。というのは、好ましくは、それぞれのタブ１０６ａ〜１０６ｃがそれぞれのキャリア・フレーム１０４ａ〜１０４ｃに接続され、タブ１０６ａ〜１０６ｃがそれぞれのキャリア・フレーム１０４ａ〜１０４ｃに接続されている箇所の周辺でキャリア・フレーム１０４ａ〜１０４ｃが弱くなっているからである。たとえば、キャリア・フレーム１０４ａ〜１０４ｃの残りの側によってフィルムのこま１０２ａ〜１０２ｃが接続されたままにしながら、それぞれのタブ１０６ａ〜１０６ｃがカメラ１０内のその保管領域１１０までフィルムのこま１０２ａ〜１０２ｃを引いた後でキャリア・フレーム１０４ａ〜１０４ｃが外れるように、各キャリア・フレーム１０４ａ〜１０４ｃの中心部分に刻み目を付けるかまたはミシン目を入れることができる。図１６には、離され取り除かれた第１のタブ１０６ａが破線で示されている。同様に、図１７では、第２のタブ１０６ｂが右に引かれて取り除かれ、その結果、露光した後で第２のこま１０２ｂを露光領域１１２から保管領域１１０に送っている。図１８はさらに、この時点ですでに取り除かれている第３のプルタブ１０６ｃによって保管領域１１０内まで右に引かれた第３のフィルムのこま１０２ｃを示している。上記を考慮すると、この折りたたみフィルム構成１００は、露光後にフィルムのこま１０２ａ〜１０２ｃのスタックを一方の側の露光領域１１２からもう一方の側の保管領域１１０まで効果的に移動して、後で現像処理するために接続され露光されたフィルムのこま１０２ａ〜１０２ｃをカメラ本体内に完全に保管する。前述の通り、移動中にキャリア・フレーム１０４ａ〜１０４ｃの中心が外れることが好ましいが、フィルム送り中にキャリア・フレーム１０４ａ〜１０４ｃが外れないようにすることも可能である。
【００２８】
前述の通り、上記の代替折りたたみフィルム構成１００は、露光すべきフィルムのこま１０２ａ〜１０２ｃの間に分散させたキャリア・フレーム１０４ａ〜１０４ｃを含む。この折りたたみ構成１００では、カメラ１０の一方の側からもう一方の側へこま１０２ａ〜１０２ｃの送りを遂行するために、キャリア・フレーム１０４ａ〜１０４ｃの領域内のフィルム媒体自体が裏返しになる必要がある。図１５〜１８の実施形態では、キャリア・フレーム１０４ａ〜１０４ｃは、フィルムのこま１０２ａ〜１０２ｃの露光を予定しているフィルム媒体の未使用部分である。この結果、キャリア・フレーム１０４ａ〜１０４ｃは、露光すべきフィルムのこま１０２ａ〜１０２ｃと同じ材料のものである。しかし、フィルム媒体は厚すぎる場合が多く、キャリア・フレーム１０４ａ〜１０４ｃが裏返しになることが困難になる可能性がある。
【００２９】
図１９のさらに他の代替実施形態では、キャリア・フレームの厚さと材料の裏返しの難しさに関する前述の問題に対処するため、個別フィルムのこま１１４は間に空間を設けたプラスチックなどの材料の軟質ストリップ１１６上に取り付けられている。図１９は、例証のために開いた状態で折りたたみフィルム・ストリップ１１８を示している。軟質ウェブ１１６は露光可能フィルムのこま１１４を担持している。露光可能フィルムのこま１１４同士の間の空間１２０は、図１５〜１８の折りたたみ構成１００におけるキャリア・フレーム１０４ａ〜１０４ｃとして機能し、それに類似したものである。図１９の構成１１８は図１５〜１８に示す構成１００と同様に折りたたまれ、カメラ１０内の露光領域１１２から保管領域１１０へのフィルムのこま１１４の移動を遂行するために空間１２０またはフィルムのこま１１４の裏面にプルタブ（図示せず）が貼り付けられている。ウェブ１１６は非常に軟質であり、それにより有効な「キャリア・フレーム」が軟質になるので、露光領域１１２から保管域１１０への送りが大幅に容易になる。ウェブ１１６は不透明または透明軟質材料あるいはその組合せの完全な連続ストリップにすることができ、もしくは好ましくは、引き伸ばし機のランプからの光などの光が開口部を通過できるようにすることにより現像中の写真印画を簡単にするために、フィルム・ストリップ１１８の製造中にフィルムのこま１１４の下のウェブ１１６に開口部を形成することもできる。
【００３０】
別々の個別フィルムのこま８２ａ〜８２ｆを使用する前述の実施形態の場合と同様に、接続した折りたたみフィルムの代替例はいずれも、フィルムを移動するためにプルタブの代わりに個別のタブとボタンを使用することができる。同様に、前述の通り、この代替例では、操作中に左側の露光位置から右側の保管位置９６へまたは右側の保管位置から左側の露光位置へフィルムを移動することができる。
【００３１】
本発明は、コンパクトであるが依然として３５ｍｍフィルムを使用できるという点で、従来技術のカメラよりかなり有利である。たとえば、図７のように、好ましいフィルム・スタック８０のフィルム送り装置を使用する場合、標準のフィルム処理機器への線形フィルム・ストリップ送込みのためにフィルムのこま８２ａ〜８２ｆを容易に準備することができる。本発明によれば、暗室、遮光バッグまたはボックス内では、個別フィルムのこま８２ａ〜８２ｆをまとめて連結して１つのストリップにすることができる。図２０は、現像および処理のために円形フィルム・ホルダ（図示せず）に装填するのに適した連続ストリップを提供するための接着テープ１２２またはフィルムによる個別フィルムのこま８２の相互接続を示している。同様に、図２１では、個別フィルムのこま８２同士を互いに直接接着することにより、個別フィルムのこま８２をまとめて相互接続することができる。重なり合うエッジ１２４は、隣接するこま８２に貼り付けられている。
【００３２】
図２２では、キャリア・フレーム１２６は、処理のために個別のこま８２を受け入れるためのポケット１２８を含む。ポケット１２８の側面は、個別フィルムのこま８２に対するフィルム現像薬品の暴露を可能にするように開いている。そのうえ、図２３では、個別フィルムのこま８２をまとめて連結して処理のための連続ストリップを形成できるように、個別フィルムのこま８２の対向エッジ内にファスナ１３０およびアパーチャ１３２を打ち抜くかまたは取り付けることができる。別法として、図２４および図２５のように、個別フィルムのこま８２の対向ノッチ１４０により位置決めされた１対のポスト１３８とベース１３６とを含む分離ファスナ１３４により個別フィルムのこま８２をまとめて接続して処理のための連続ストリップを形成するか、または個別フィルムのこま８２の両側に穴１３２を形成して個別フィルムのこま８２と分離ファスナ１３４を接続できるようにすることもできる。さらに、個別ファスナ１３４を位置合せツールとして使用して、露光したフィルムのこま８２同士をまとめて位置合せしてそれらを接着し、容易に処理したフィルムのこまの連続ストリップを作成することもできる。このように使用すると、１対のポスト１３８は、それらをまとめて接着するために各隣接こまの位置合せ中に各個別フィルムのこま８２のスプロケット・パターンとして重なり合う１対の対向ノッチ１４０によって位置決めされる。あるいは、別法として、個別フィルムのこま８２の両側に穴１３２を設け、個別のこま８２とファスナを接続できるようにすることもできる。さらに、図２４および図２５のように、位置合せツール１３４を使用して、露光したフィルムのこま８２同士をまとめて位置合せしてそのこまをまとめて接着し、容易に処理したフィルムのこまの連続ストリップを作成することもできる。このツール１３４は、位置合せ中に各個別フィルムのこま８２のスプロケット・パターンとして重なり合う１対の対向ノッチ１４０によって位置決めされた１対のポスト１３８とベース１３６とを含む。このツールは、各隣接フィルムのこまを位置合せして、それらをまとめて接着するために使用する。
【００３３】
図７は、個別フィルムのこま８２ａ〜８２ｆによるフィルムのこまのスタック構成の好ましい実施形態を示している。しかし、個別フィルムのこま８２ａ〜８２ｆの構成は変更可能であり、それも依然として本発明の範囲内である可能性がある。たとえば、図２６および図２７に示すように、各フィルムのこま１５２のプルタブ１５０は、図７に示す好ましい実施形態に示すような下方向とは対照的に横方向に出ることができる。同様に、図２６および図２７に示すように、各プルタブ１５０は、プルタブ１５０同士が互いに重ならないように千鳥状に対応するフィルムのこま１５２に接続されるかまたはその一部になっている。カメラ１５６のリヤ・パネル１５４内に位置する場合、カメラ１５６の本体から出ている対応プルタブ１５０を引くことにより、それらは左から右へ（または逆の構成を使用する場合は右から左へ）容易にスライドする。この実施形態のプルタブ１５０は、露光後にそれぞれのフィルムのこま１５２を保管位置まで移動した後でフィルムのこま１５２からプルタブ１５０を分離するのを容易にするためのミシン目１５８を含む。
【００３４】
さらに、図２８および図２９は、取外し可能カートリッジが露光すべきフィルムのこまのスタックを担持する、本発明の２通りの代替実施形態を示している。フィルムは、カメラの裏面に取り付けられるかまたはカメラ自体に挿入されるカートリッジ内に設けることができる。このカートリッジは上記と同じ機能を提供する。このようなカートリッジは、露光すべきフィルムのスタックを収容するための領域ならびに露光したフィルムのスタックを保管するための隣接領域を含む。このカートリッジは、平坦でコンパクトな形状因子を維持しながら、露光領域から保管領域へのフィルムの移動を可能にする。このようなカートリッジにより、カメラの使用、特にその中のフィルムの現像が容易になる。
【００３５】
具体的には、図２８は、カメラ本体１６２から出ているいくつかの「ポップオン」ファスナ１６４によりカメラ本体１６２に接続するカートリッジ１６０を備えた代替実施形態１４９を示している。カートリッジ１６０は、ファスナ１６４を受け入れてカメラ本体１６２と摩擦係合した状態にカートリッジ１６０を保持するために、対応する数のスルーホール１６６を含む。カートリッジ１６０は、カメラ本体１６２の光の通路１７０に位置合せされた受光アパーチャ１６８を含む。また、遮光フェルト１７２も設けられ、これはカートリッジ１６０の左側とカートリッジ１６０の右側を分離するものである。
【００３６】
カートリッジは、カートリッジ１６０の受光アパーチャ１６８とカメラ本体１６２の光の通路１７０が互いに位置合せされるように、カメラ１６２の裏面に取外し式に取り付けられる。Ｎｏ．１のラベルが付いたタブなどの第１のプルタブ１５０は好ましくは遮光シートである。残りのこまは、感光可能な実際のフィルムのこまである。これにより、カートリッジ１６０は、その中のフィルムのこまを露光せずに容易に取り付けることができる。フィルムのこまが露光されると、それぞれのプルタブ１５０が引かれ、この時点で露光したそれぞれのフィルムのこまが内部トラックに沿ってカートリッジ１６０の右側に移動し、現像まで保管される。各プルタブ１６０は、フィルムのこまを移動した後でフィルムのこまから切断される。残りのフィルムのこまは同様に露光され、右に引かれて保管される。フェルト・バリア１７２は、適切に露光したフィルムのこまの破壊を防止するために、カートリッジ１６０の保管部分１７４に光が入るのを防止する。すべてのフィルムのこまが露光され、保護された保管位置１７４に移動すると、適切な現像処理のためにカートリッジ１６０はカメラ本体１６２から分離される。
【００３７】
図２９は、図２８に示すカートリッジ構成１４９に対する追加の実施形態１７５を示している。図２９の代替実施形態では、カートリッジ１７６をカメラ本体１７８に取外し式に接続するための構造がわずかに変更されている。特に、図２８に示すカートリッジ１６０と実質的に同一のカートリッジ１７６を受け入れるためにサイド・スロット１８０が設けられている。図２９のカートリッジ１７６では、カートリッジ１６０にあるスルーホール１６６は不要である。というのは、個別フィルムのこまを適切に露光するためにカートリッジ１７６の受光アパーチャ１８２が光の通路（図２９には図示しない）に位置合せされるように、カートリッジ１７６がカメラ本体１７８のスロット１８０に横方向に挿入されるからである。図２８および図２９にはサイド・アクセス・スロット１８０とポップオン・ファスナ１６４とスルーホール１６６が示されているが、カートリッジを受け入れるために留め金および接着剤などの他の取付け構造あるいはインスタマチック型のアクセス・ドアも使用可能であり、それも依然として本発明の範囲内である可能性がある。
【００３８】
当業者であれば、本発明の精神を逸脱せずに、例示した実施形態に対し様々な変更および修正が可能であることが分かるだろう。このような修正および変更はいずれも特許請求の範囲に含まれるものである。
【図面の簡単な説明】
【００３９】
【図１】本発明によるパッケージ化クレジット・カード・カメラの斜視図である。
【図２】封止ラベルが取り除かれた図１のパッケージ化クレジット・カード・カメラの斜視図である。
【図３】支柱を位置決めする前の図１のクレジット・カード・カメラの斜視図である。
【図４】写真撮影に備えて支柱が所定の位置にある、図１のクレジット・カード・カメラの斜視図である。
【図５】クレジット・カード・カメラのリヤ・パネルの底面図である。
【図６】シャッタおよびレンズ・メカニズムを示す、図１のクレジット・カード・カメラの正面分解斜視図である。
【図７】図１のクレジット・カード・カメラの背面分解斜視図である。
【図８】カメラ内のフィルム送り装置を示すために部分的に剥離したクレジット・カード・カメラの背面図である。
【図９】フィルムの１つのこまを露光し保管した後のクレジット・カード・カメラの背面図である。
【図１０】例証のためにバック・カバーを取り外し、フィルムの１つのこまを露光し保管した後のクレジット・カード・カメラの背面図である。
【図１１】フィルムの２つのこまを露光し保管した後のクレジット・カード・カメラの背面図である。
【図１２】例証のためにバック・カバーを取り外し、フィルムの２つのこまを露光し保管した後のクレジット・カード・カメラの背面図である。
【図１３】フィルムのすべてのこまを露光し保管した後のクレジット・カード・カメラの背面図である。
【図１４】例証のためにバック・カバーを取り外し、フィルムのすべてのこまを露光し保管した後のクレジット・カード・カメラの背面図である。
【図１５】折りたたみ配置を示す、代替フィルム送り構成の側面図である。
【図１６】フィルムの１つのこまを露光した図１５の代替フィルム送り構成の側面図である。
【図１７】２つのこまを露光した図１５の代替フィルム送り構成の側面図である。
【図１８】フィルムの３つのこますべてを露光した図１５の代替フィルム送り構成の側面図である。
【図１９】標準的な写真現像機器を使用してフィルムのいくつかのこまを現像するための写真フィルム・ウェブを示す図である。
【図２０】標準的な写真現像機器を使用してフィルムのいくつかのこまを現像するための第１の代替写真フィルム・ウェブを示す図である。
【図２１】標準的な写真現像機器を使用してフィルムのいくつかのこまを現像するための第２の代替写真フィルム・ウェブを示す図である。
【図２２】標準的な写真現像機器を使用してフィルムのいくつかのこまを現像するための第３の代替写真フィルム・ウェブを示す図である。
【図２３】標準的な写真現像機器を使用してフィルムのいくつかのこまを現像するための第４の代替写真フィルム・ウェブを示す図である。
【図２４】標準的な写真現像機器を使用してフィルムのいくつかのこまを現像するための第５の代替写真フィルム・ウェブを示す図である。
【図２５】図２４に示すフィルム・ウェブで使用する位置合せ部材の側面図である。
【図２６】本発明の代替実施形態によるフィルムのこまの平面図である。
【図２７】本発明の代替実施形態によるカメラ本体内に存在するフィルムのこまのスタックの平面図である。
【図２８】本発明の代替実施形態によるカメラ本体上に取り付けられたフィルム・カートリッジの斜視図である。
【図２９】本発明のさらに他の代替実施形態によるカメラ本体上に取り付けられたフィルム・カートリッジの斜視図である。
【図１】
2004531748.tif 000003
【図２】
2004531748.tif 000004
【図３】
2004531748.tif 000005
【図４】
2004531748.tif 000006
【図５】
2004531748.tif 000007
【図６】
2004531748.tif 000008
【図７】
2004531748.tif 000009
【図８】
2004531748.tif 000010
【図９】
2004531748.tif 000011
【図１０】
2004531748.tif 000012
【図１１】
2004531748.tif 000013
【図１２】
2004531748.tif 000014
【図１３】
2004531748.tif 000015
【図１４】
2004531748.tif 000016
【図１５】
2004531748.tif 000017
【図１６】
2004531748.tif 000018
【図１７】
2004531748.tif 000019
【図１８】
2004531748.tif 000020
【図１９】
2004531748.tif 000021
【図２０】
2004531748.tif 000022
【図２１】
2004531748.tif 000023
【図２２】
2004531748.tif 000024
【図２３】
2004531748.tif 000025
【図２４】
2004531748.tif 000026
【図２５】
2004531748.tif 000027
【図２６】
2004531748.tif 000028
【図２７】
2004531748.tif 000029
【図２８】
2004531748.tif 000030
【図２９】
2004531748.tif 000031
【国際公開パンフレット】
2004531748.tif 000032
2004531748.tif 000033
2004531748.tif 000034
2004531748.tif 000035
2004531748.tif 000036
2004531748.tif 000037
2004531748.tif 000038
2004531748.tif 000039
2004531748.tif 000040
2004531748.tif 000041
2004531748.tif 000042
2004531748.tif 000043
2004531748.tif 000044
2004531748.tif 000045
2004531748.tif 000046
2004531748.tif 000047
2004531748.tif 000048
2004531748.tif 000049
2004531748.tif 000050
2004531748.tif 000051
2004531748.tif 000052
2004531748.tif 000053
2004531748.tif 000054
2004531748.tif 000055
2004531748.tif 000056
2004531748.tif 000057
2004531748.tif 000058
2004531748.tif 000059
2004531748.tif 000060
2004531748.tif 000061
2004531748.tif 000062
2004531748.tif 000063
2004531748.tif 000064
2004531748.tif 000065
2004531748.tif 000066
2004531748.tif 000067
2004531748.tif 000068
2004531748.tif 000069
2004531748.tif 000070
2004531748.tif 000071
2004531748.tif 000072
2004531748.tif 000073
2004531748.tif 000074
2004531748.tif 000075
2004531748.tif 000076
2004531748.tif 000077
【国際公開パンフレット（コレクトバージョン）】
2004531748.tif 000078
2004531748.tif 000079
【国際調査報告】
2004531748.tif 000080